(57)【特許請求の範囲】
【請求項１】
ステアリングコラムカバーをコラムカバーアッパーとコラムカバーロアとに分割構成し、柔軟なシート素材から成る遮蔽シートの前部をメータクラスタ下部の裏面に係止し且つ後部をコラムカバーアッパーの裏面に係止して前記メータクラスタと前記ステアリングコラムカバーとの間の隙間の上面部分を被覆すると共に、前記メータクラスタにおける前記遮蔽シートの前部を係止した部位の車幅方向両側に下方向きに折れ曲がる側壁を設け、該側壁により前記遮蔽シートの車幅方向両側部を下方向きに折れ曲がるように規制して前記隙間の側面部分を被覆せしめたステアリングコラム部の遮蔽構造であって、メータクラスタの両側壁により下方向きに折れ曲がるように規制される遮蔽シートの車幅方向両側部を車両後方に向け斜めに張り出す延出部として形成し、コラムカバーアッパーをコラムカバーロアに組み付けた際に前記延出部の後方先端部が前記コラムカバーロアの両側壁に当接して規制されるように構成したことを特徴とするステアリングコラム部の遮蔽構造。
【請求項２】
コラムカバーアッパーをコラムカバーロアに対し後端を中心として前端を上方に回転させた際に延出部の後方先端部と干渉して該後方先端部を内折れさせるガイド壁を前記コラムカバーアッパーの両側部前部に形成し、前記ガイド壁の上側に前記遮蔽シートにおける各延出部より後方の部位を挿通せしめる水平スリットを形成したことを特徴とする請求項１に記載のステアリングコラム部の遮蔽構造。
【発明の詳細な説明】
【技術分野】
【０００１】
本発明は、ステアリングコラム部の遮蔽構造に関するものである。
【背景技術】
【０００２】
従来より、インストルメントパネルのメーター類を保持しているメータクラスタと、ステアリングコラムを被包しているステアリングコラムカバーとの間には、該ステアリングコラムカバーのチルト操作やテレスコ操作を許容するための隙間があり、この隙間から内部構造が露出してしまうような事態が起こらないよう前記隙間を遮蔽シートにより遮蔽することが行われている。
【０００３】
例えば、下記の特許文献１に示されている例の場合、図１１に示す如く、上端部にキースイッチ等の内装部品ａを取り付けたステアリングコラムｂを、コラムカバーアッパーｃとコラムカバーロアｄとから成るステアリングコラムカバーｅにより被包した構成において、車体側の部材であるコラムサポートｆに前部を固定した遮蔽シートｇの後部を、コラムカバーアッパーｃと内装部品ａとの間の空所に下方から挿入し、これにより隙間を被覆して車室内の見栄え品質を向上するようにしてある。
【０００４】
この際、ステアリングコラムｂの上端部に内装部品ａを取り付けるためのブラケットｈの前部を内装部品ａより前方に張り出させて下方向きに折り曲げ、ここにエッジを持たない円滑なガイド面ｉを形成して前記遮蔽シートｇを摺動自在に当接させるようにしている。尚、図１１中ｊはステアリングシャフト、ｋはステアリングホイールを示す。
【先行技術文献】
【特許文献】
【０００５】
【特許文献１】特開２００３−５４４１９号公報
【発明の概要】
【発明が解決しようとする課題】
【０００６】
しかしながら、斯かる従来構造においては、隙間の側面部分を被覆せしめるような工夫は特に施されていなかったため、ステアリングコラムｂの可動範囲が拡大したような場合に、隙間の側面部分から内部構造が見えてしまう懸念があった。
【０００７】
本発明は上述の実情に鑑みてなしたもので、隙間の側面部分から内部構造が露出してしまう虞れを確実に回避し得るようにしたステアリングコラム部の遮蔽構造を提供することを目的とする。
【課題を解決するための手段】
【０００８】
本発明は、ステアリングコラムカバーをコラムカバーアッパーとコラムカバーロアとに分割構成し、柔軟なシート素材から成る遮蔽シートの前部をメータクラスタ下部の裏面に係止し且つ後部をコラムカバーアッパーの裏面に係止して前記メータクラスタと前記ステアリングコラムカバーとの間の隙間の上面部分を被覆すると共に、前記メータクラスタにおける前記遮蔽シートの前部を係止した部位の車幅方向両側に下方向きに折れ曲がる側壁を設け、該側壁により前記遮蔽シートの車幅方向両側部を下方向きに折れ曲がるように規制して前記隙間の側面部分を被覆せしめたステアリングコラム部の遮蔽構造であって、メータクラスタの両側壁により下方向きに折れ曲がるように規制される遮蔽シートの車幅方向両側部を車両後方に向け斜めに張り出す延出部として形成し、コラムカバーアッパーをコラムカバーロアに組み付けた際に前記延出部の後方先端部が前記コラムカバーロアの両側壁に当接して規制されるように構成したことを特徴とするものである。
【０００９】
而して、このようにすれば、メータクラスタの側壁により遮蔽シートの車幅方向両側の延出部が下方向きに折れ曲がるように規制され、該延出部が後方に張り出すような縦面を形成することになるので、隙間の側面部分を後方の領域まで確実に被覆することが可能となり、ステアリングコラムカバーをチルト操作やテレスコ操作しても内部構造の露出が確実に回避されることになる。
【００１２】
即ち、メータクラスタの両側壁により下方向きに折り曲げられる各延出部の折り曲げ線は、メータクラスタ下部とコラムカバーアッパー前端との位置関係から車両前方へ上り勾配を成すように形成されるため、このような折り曲げ線に沿い下方向きに折り込まれる遮蔽シートの車幅方向両側部は車両前方へ向かって折り込まれることになる。
【００１３】
このため、単純に前記折り曲げ線に対し直角な向きに張り出させた延出部を折り曲げたのでは、該延出部が車両前方へ向かって折り込まれることになり、隙間の側面部分の後方側に延出部で被覆し切れない領域が生じてしまう虞れがあるが、予め車両後方に向け斜めに張り出すように延出部を形成しておけば、このような虞れを未然に回避することが可能となる。
【００１４】
しかも、延出部の後方先端部が前記コラムカバーロアの両側壁に当接して規制されるようになっているので、各延出部の折り曲げ状態をメータクラスタの両側壁とコラムカバーロアの両側壁とにより上下で規制することが可能となる。
【００１５】
また、本発明においては、コラムカバーアッパーをコラムカバーロアに対し後端を中心として前端を上方に回転させた際に延出部の後方先端部と干渉して該後方先端部を内折れさせるガイド壁を前記コラムカバーアッパーの両側部前部に形成し、前記ガイド壁の上側に前記遮蔽シートにおける各延出部より後方の部位を挿通せしめる水平スリットを形成することが好ましい。
【００１６】
このようにすれば、コラムカバーロアにコラムカバーアッパーを組み付けるにあたり、コラムカバーアッパーをコラムカバーロアに対し後端を中心として前端を上方に回転させた状態とすると、メータクラスタの両側壁により下方向きに折り曲げられた各延出部の後方先端部が、コラムカバーアッパーの両側部前部に形成されているガイド壁に干渉して内折れすることで外側へはみ出さなくなる。
【００１７】
この結果、コラムカバーアッパーの前端をコラムカバーロア上に降ろして組み付けた際に、コラムカバーアッパーとコラムカバーロアとの間に延出部が挟み込まれてしまうような組み付け不良が未然に回避されると共に、組み付け作業中に各延出部の後方先端部をコラムカバーロアの内側に手で押し込むような手間が不要となって作業性の向上も図られる。
【００１８】
尚、コラムカバーアッパーの前端をコラムカバーロア上に降ろすと、各延出部の後方先端部とコラムカバーアッパーのガイド壁との干渉がなくなり、各延出部の後方先端部が内折れ状態から真直ぐに延び、コラムカバーロアの両側壁に当接して規制されることになる。
【発明の効果】
【００１９】
上記した本発明のステアリングコラム部の遮蔽構造によれば、下記の如き種々の優れた効果を奏し得る。
【００２０】
（Ｉ）本発明の請求項１に記載の発明によれば、メータクラスタの側壁により遮蔽シートの車幅方向両側部を下方向きに折れ曲がるように規制し、この遮蔽シートの車幅方向両側部により隙間の側面部分を被覆することができるので、ステアリングコラムカバーをチルト操作やテレスコ操作しても隙間の側面部分から内部構造が露出してしまう虞れを確実に回避することができる。
【００２１】
（ＩＩ）本発明の請求項１に記載の発明によれば、延出部により後方に張り出す縦面を形成することができるので、隙間の側面部分を後方の領域まで確実に被覆することができ、しかも、延出部の後方先端部をコラムカバーロアの両側壁に当接させて規制することができるので、各延出部の折り曲げ状態をメータクラスタの両側壁とコラムカバーロアの両側壁とにより上下で確実に規制することができる。
【００２２】
（ＩＩＩ）本発明の請求項２に記載の発明によれば、コラムカバーアッパーをコラムカバーロアに対し後端を中心として前端を上方に回転させた状態とすることにより、遮蔽シートの各延出部の後方先端部をコラムカバーアッパーのガイド壁に干渉させて内折れさせることができるので、コラムカバーアッパーのコラムカバーロアへの組み付け時に相互間に遮蔽シートの延出部が挟み込まれてしまうような組み付け不良を未然に回避することができ、しかも、組み付け作業中に各延出部の後方先端部をコラムカバーロアの内側に手で押し込むような手間を不要とすることができて作業性の向上を図ることもできる。
【図面の簡単な説明】
【００２３】
【図１】本発明を実施する形態の一例を示す斜視図である。
【図２】図１の側方断面図である。
【図３】図２のＩＩＩ−ＩＩＩ矢視の断面図である。
【図４】図３のＩＶ−ＩＶ矢視の断面図である。
【図５】図２のＶ−Ｖ矢視の断面図である。
【図６】図５のＶＩ部分の拡大図である。
【図７】図１の遮蔽シートの展開図である。
【図８】コラムカバーアッパーの前端側を上方に回転させた斜視図である。
【図９】図８の側方断面図である。
【図１０】遮蔽シートを上方に折り返して仮止めした状態を示す斜視図である。
【図１１】従来例を概略的に示す断面図である。
【発明を実施するための形態】
【００２４】
以下本発明の実施の形態を図面を参照しつつ説明する。
【００２５】
図１及び図２は本発明を実施する形態の一例を示すもので、本形態例においては、メータクラスタ１とステアリングコラムカバー２との間の隙間を、柔軟なシート素材から成る遮蔽シート３により遮蔽して内部構造の露出を隠す構造となっており、より具体的には、前記ステアリングコラムカバー２が、その上側部分を成すコラムカバーアッパー２Ａと、その下側部分を成すコラムカバーロア２Ｂとにより分割構成され、ステアリングホイール４の操舵を図示しないステアリングギヤボックスに伝えるステアリングシャフト５と、該ステアリングシャフト５を回転自在に保持するステアリングコラム６とが内部に抱持されるようになっていて、前記遮蔽シート３の前部（図２中の左側が前方）がメータクラスタ１下部の裏面に係止され且つ後部（図２中の右側が後方方）がコラムカバーアッパー２Ａの裏面に係止されて前記隙間の上面部分が被覆されるようになっている。
【００２６】
即ち、図３及び図４に詳細を示す如く、メータクラスタ１下部の裏面における車幅方向（図３中の左右方向）両側には、前方（図４中の左方向）に向けて鉤爪状（図４参照）を成す係止爪７が形成されており、前記遮蔽シート３の前部の車幅方向両側に形成した穴８（図４参照）に対し上面側から下面側へ前記係止爪７が通されて前記遮蔽シート３の前部が係止されるようになっており、また、図５及び図６に詳細を示す如く、コラムカバーアッパー２Ａの前端から所要長さ後方へ入り込んだ位置の車幅方向（図５中の左右方向）両側には、車幅方向内側に向けて鉤爪状を成す係止爪９が形成されており、前記遮蔽シート３の後部の車幅方向両側に形成した穴１０（図６参照）に対し上面側から下面側へ前記係止爪９が通されて前記遮蔽シート３の後部が係止されるようになっている。
【００２７】
しかも、先の図３に示してある通り、前記メータクラスタ１における前記遮蔽シート３の前部を係止した部位の車幅方向両側には、下方向きに折れ曲がる側壁１ｘが設けられており、該側壁１ｘにより前記遮蔽シート３の車幅方向両側部が下方向きに折れ曲がるように規制されて前記隙間の側面部分が被覆されるようになっている。
【００２８】
ここで、図７に展開図で示す如く、前述のメータクラスタ１の両側壁１ｘにより下方向きに折れ曲がるように規制される遮蔽シート３の車幅方向両側部は、車両後方（図７中における下方）に向け斜めに張り出す延出部３ａとして形成されており、コラムカバーアッパー２Ａをコラムカバーロア２Ｂに組み付けた際に前記延出部３ａの後方先端部が前記コラムカバーロア２Ｂの両側壁２Ｂｘに当接して規制されるようになっている（図２及び図５参照）。
【００２９】
また、図８及び図９に示す如く、前記コラムカバーアッパー２Ａの両側部前部には、コラムカバーアッパー２Ａをコラムカバーロア２Ｂに対し後端を中心として前端を上方に回転させた際に延出部３ａの後方先端部と干渉して該後方先端部を内折れさせるガイド壁１１が形成されており、該ガイド壁１１の上側には、前記遮蔽シート３における各延出部３ａより後方の部位３ｂを挿通せしめる水平スリット１２が形成されている。
【００３０】
尚、先の図７中における１３は遮蔽シート３の後部の適宜位置に形成された仮止め用スリットを示し、例えば、図１０に示す如く、遮蔽シート３の前部をメータクラスタ１下部の裏面に取り付けた後に、コラムカバーアッパー２Ａの取り付けより先に左右の運転席ロアカバー１５，１６やステアリングコラム６等の周辺部品を取り付けなければならない場合、遮蔽シート３が自重により垂れ下がっていると、前記周辺部品の取り付けに支障が生じる虞れがあるが、遮蔽シート３の垂れ下がった部分を上方に折り返し、遮蔽シート３の仮止め用スリット１３にメータトリップスイッチ１４を挿通せしめて該メータトリップスイッチ１４に掛止させれば、遮蔽シート３を上方に折り返した状態に保持して周辺部品の取り付けの邪魔にならないようにすることが可能である。
【００３１】
而して、以上に述べたようにステアリングコラム部の遮蔽構造を構成すれば、メータクラスタ１の側壁１ｘにより遮蔽シート３の車幅方向両側の延出部３ａが下方向きに折れ曲がるように規制され、該延出部３ａが後方に張り出すような縦面を形成することになるので、隙間の側面部分を後方の領域まで確実に被覆することが可能となり、ステアリングコラムカバー２をチルト操作やテレスコ操作しても内部構造の露出が確実に回避される。
【００３２】
即ち、メータクラスタ１の両側壁１ｘにより下方向きに折り曲げられる各延出部３ａの折り曲げ線は、メータクラスタ１下部とコラムカバーアッパー２Ａ前端との位置関係から車両前方へ上り勾配を成すように形成されるため、このような折り曲げ線に沿い下方向きに折り込まれる遮蔽シート３の車幅方向両側部は車両前方へ向かって折り込まれることになる。
【００３３】
このため、単純に前記折り曲げ線に対し直角な向きに張り出させた延出部３ａを折り曲げたのでは、該延出部３ａが車両前方へ向かって折り込まれることになり、隙間の側面部分の後方側に延出部３ａで被覆し切れない領域が生じてしまう虞れがあるが、予め車両後方に向け斜めに張り出すように延出部３ａを形成しておけば、このような虞れを未然に回避することが可能となる。
【００３４】
しかも、延出部３ａの後方先端部が前記コラムカバーロア２Ｂの両側壁２Ｂｘに当接して規制されるようになっているので、各延出部３ａの折り曲げ状態をメータクラスタ１の両側壁１ｘとコラムカバーロア２Ｂの両側壁２Ｂｘとにより上下で規制することが可能となる。
【００３５】
また、特に本形態例においては、コラムカバーロア２Ｂにコラムカバーアッパー２Ａを組み付けるにあたり、図８及び図９に示す如く、コラムカバーアッパー２Ａをコラムカバーロア２Ｂに対し後端を中心として前端を上方に回転させた状態とすると、メータクラスタ１の両側壁１ｘにより下方向きに折り曲げられた各延出部３ａの後方先端部が、コラムカバーアッパー２Ａの両側部前部に形成されているガイド壁１１に干渉して内折れすることで外側へはみ出さなくなる。
【００３６】
この結果、コラムカバーアッパー２Ａの前端をコラムカバーロア２Ｂ上に降ろして組み付けた際に、コラムカバーアッパー２Ａとコラムカバーロア２Ｂとの間に延出部３ａが挟み込まれてしまうような組み付け不良が未然に回避されると共に、組み付け作業中に各延出部３ａの後方先端部をコラムカバーロア２Ｂの内側に手で押し込むような手間が不要となって作業性の向上も図られる。
【００３７】
尚、コラムカバーアッパー２Ａの前端をコラムカバーロア２Ｂ上に降ろすと、各延出部３ａの後方先端部とコラムカバーアッパー２Ａのガイド壁１１との干渉がなくなり、各延出部３ａの後方先端部が内折れ状態から真直ぐに延び、コラムカバーロア２Ｂの両側壁２Ｂｘに当接して規制されることになる。
【００３８】
従って、上記形態例によれば、メータクラスタ１の側壁１ｘにより遮蔽シート３の車幅方向両側の延出部３ａを下方向きに折れ曲がるように規制し、該各延出部３ａにより後方に張り出す縦面を形成して隙間の側面部分を後方の領域まで確実に被覆することができ、しかも、延出部３ａの後方先端部をコラムカバーロア２Ｂの両側壁２Ｂｘに当接させて規制し、各延出部３ａの折り曲げ状態をメータクラスタ１の両側壁１ｘとコラムカバーロア２Ｂの両側壁２Ｂｘとにより上下で確実に規制することができるので、ステアリングコラムカバー２をチルト操作やテレスコ操作しても隙間の側面部分から内部構造が露出してしまう虞れを確実に回避することができる。
【００３９】
更に、コラムカバーアッパー２Ａをコラムカバーロア２Ｂに対し後端を中心として前端を上方に回転させた状態とすることにより、遮蔽シート３の各延出部３ａの後方先端部をコラムカバーアッパー２Ａのガイド壁１１に干渉させて内折れさせることができるので、コラムカバーアッパー２Ａのコラムカバーロア２Ｂへの組み付け時に相互間に遮蔽シート３の延出部３ａが挟み込まれてしまうような組み付け不良を未然に回避することができ、しかも、組み付け作業中に各延出部３ａの後方先端部をコラムカバーロア２Ｂの内側に手で押し込むような手間を不要とすることができて作業性の向上を図ることもできる。
【００４０】
尚、本発明のステアリングコラム部の遮蔽構造は、上述の形態例にのみ限定されるものではなく、本発明の要旨を逸脱しない範囲内において種々変更を加え得ることは勿論である。
【符号の説明】
【００４１】
１  メータクラスタ
１ｘ  側壁
２  ステアリングコラムカバー
２Ａ  コラムカバーアッパー
２Ｂ  コラムカバーロア
２Ｂｘ  側壁
３  遮蔽シート
３ａ  延出部
１１  ガイド壁
１２  水平スリット
【図１】
0005719197.tif 000002
【図２】
0005719197.tif 000003
【図３】
0005719197.tif 000004
【図４】
0005719197.tif 000005
【図５】
0005719197.tif 000006
【図６】
0005719197.tif 000007
【図７】
0005719197.tif 000008
【図８】
0005719197.tif 000009
【図９】
0005719197.tif 000010
【図１０】
0005719197.tif 000011
【図１１】
0005719197.tif 000012